(57)【要約】【課題】プログラムデータを転送するための装置を別途設けることなく、プログラムデータをプロジェクタに転送することが可能なプロジェクタおよびプロジェクタを用いた転送システムを提供する。【解決手段】プロジェクタ１は、ファームウェアなどのデータをデジタル信号化した光信号として投影可能な投影機構部５０と、投影機構部５０から送信されたファームウェアなどのデータに対応するデジタル信号化された光信号を受信するためのＣＣＤ１６と、ＣＣＤ１６により受信されたプログラムデータを記憶するフラッシュメモリ４４と、ＣＣＤ１６により受信した光信号をフラッシュメモリ４４に記憶させるように制御する第１制御部４１および第２制御部４３とを備える。【選択図】図６
2009048028.tif 000002
【特許請求の範囲】
【請求項１】
プログラムデータをデジタル信号化した光信号として投影可能な投影機構部と、
前記投影機構部から投影された前記プログラムデータに対応するデジタル信号化された光信号を受信するための受光部と、
前記受光部により受信された前記プログラムデータを記憶する記憶部と、
前記受光部により受信した前記プログラムデータを前記記憶部に記憶させるように制御する制御部とを備えた、プロジェクタ。
【請求項２】
前記投影機構部によりデジタル信号化された光信号を投影する第１モードと、前記投影機構部により投影されたデジタル信号化された光信号を前記受光部により受信する第２モードとを選択可能に構成されている、請求項１に記載のプロジェクタ。
【請求項３】
前記投影機構部は、
光源ランプと、
前記光源ランプからの光を反射してデジタル信号化して光信号として外部に投影するとともに、外部から送信されてきた、前記プログラムデータがデジタル信号化された光信号を、前記受光部の方向に反射させるための光変調素子とを含む、請求項１および２に記載のプロジェクタ。
【請求項４】
前記プログラムデータをデジタル信号化した光信号を受信する際に、前記投影機構部の光源ランプからの光を前記光変調素子に到達させないようにするための遮光手段をさらに備える、請求項３に記載のプロジェクタ。
【請求項５】
プログラムデータをデジタル信号化した光信号として投影可能な投影機構部と、
前記投影機構部から送信された前記プログラムデータに対応するデジタル信号を受信するための受光部と、
前記受光部により受信された前記プログラムデータを記憶する記憶部と、
前記受光部により受信した前記プログラムデータを前記記憶部に記憶させるように制御する制御部とを含む、第１プロジェクタおよび第２プロジェクタを備え、
前記第１プロジェクタは、前記投影機構部によって前記プログラムデータをデジタル信号化して光信号として投影するとともに、前記第２プロジェクタは、前記プログラムデータをデジタル信号化した光信号を前記受光部で受信して、前記記憶部に記憶するように構成されている、プロジェクタを用いたデータ転送システム。
【発明の詳細な説明】
【技術分野】
【０００１】
この発明は、プロジェクタおよびプロジェクタを用いたデータ転送システムに関し、特に、記憶部を備えるプロジェクタおよび記憶部を備えるプロジェクタを用いたデータ転送システムに関する。
【背景技術】
【０００２】
従来、記憶部を備えるプロジェクタおよび記憶部を備えるプロジェクタを用いたデータ転送システムが知られている（たとえば、特許文献１および２参照）。
【０００３】
上記特許文献１には、ホストコンピュータからデータを転送することが可能なプロジェクタが開示されている。このプロジェクタは、通信ケーブルを介してホストコンピュータと接続されることにより、ホストコンピュータからデータを受信するように構成されている。また、このプロジェクタは、ホストコンピュータと通信ケーブルを介して接続するためのシリアル接続ポートと、シリアル接続ポートから受信したデータを保存するためのフラッシュＲＯＭ（記憶部）とを備える。
【０００４】
また、上記特許文献２には、パーソナルコンピュータからデータを転送することが可能なプロジェクタが開示されている。このプロジェクタは、パーソナルコンピュータに接続されることにより、パーソナルコンピュータからデータを受信するように構成されている。また、このプロジェクタは、パーソナルコンピュータから受信したデータを保存するためのフラッシュメモリ（記憶部）を含む。
【０００５】
【特許文献１】特開２００１−９２４０８号公報
【特許文献２】特開２００１−１４２４４１号公報
【発明の開示】
【発明が解決しようとする課題】
【０００６】
しかしながら、上記特許文献１に記載のプロジェクタでは、プロジェクタのフラッシュＲＯＭに記憶させるデータを転送するために、ホストコンピュータが必要となるため、プロジェクタにデータを転送するための装置が別途必要になるという問題点がある。
【０００７】
また、上記特許文献２に記載のプロジェクタでは、プロジェクタのフラッシュメモリに記憶させるデータを転送するために、パーソナルコンピュータが必要となるため、プロジェクタにデータを転送するための装置が別途必要になるという問題点がある。
【０００８】
この発明は、上記のような課題を解決するためになされたものであり、この発明の１つの目的は、プログラムデータを転送するための装置を別途設けることなく、プログラムデータをプロジェクタに転送することが可能なプロジェクタおよびプロジェクタを用いた転送システムを提供することである。
【課題を解決するための手段および発明の効果】
【０００９】
この発明の第１の局面によるプロジェクタは、プログラムデータをデジタル信号化した光信号として投影可能な投影機構部と、投影機構部から送信されたプログラムデータに対応するデジタル信号化された光信号を受信するための受光部と、受光部により受信されたプログラムデータを記憶する記憶部と、受光部により受信したプログラムデータを記憶部に記憶させるように制御する制御部とを備える。
【００１０】
この第１の局面によるプロジェクタでは、上記のように、プログラムデータをデジタル信号化した光信号として投影可能な投影機構部と、投影機構部によって投影されたプログラムデータに対応するデジタル信号化された光信号を受信するための受光部と、受光部により受信されたプログラムデータを記憶する記憶部とを設けることによって、一方のプロジェクタの投影機構部を用いて、プログラムデータに対応するデジタル信号化された光信号を他方のプロジェクタに向かって投影するとともに、他方のプロジェクタの受光部により、投影されたプログラムデータに対応するデジタル信号化された光信号を受信して記憶部に記憶することによって、プログラムデータを転送するための装置を別途設けることなくプロジェクタ同士でプログラムデータの転送を行うことができる。また、１台のプロジェクタの投影機構部を用いて、複数台のプロジェクタの受光部に対して、プログラムデータに対応するデジタル信号化された光信号を投影することによって、１台のプロジェクタを用いて複数台のプロジェクタに対してプログラムデータを同時に書込むことができる。これにより、複数のプロジェクタに対してプログラムデータを書込む際の作業を簡略化することができる。
【００１１】
上記第１の局面によるプロジェクタにおいて、好ましくは、投影機構部によりデジタル信号化された光信号を投影する第１モードと、投影機構部により投影されたデジタル信号化された光信号を受光部により受信する第２モードとを選択可能に構成されている。このように構成すれば、プログラムデータを投影機構部により投影する第１モードと、プログラムデータを受光部により受信させる第２モードとを使用者が選択することにより、容易に第２モードを選択したプロジェクタに対してプログラムデータを書込むことができる。
【００１２】
上記第１の局面によるプロジェクタにおいて、好ましくは、投影機構部は、光源ランプと、光源ランプからの光を反射してデジタル信号化して光信号として外部に投影するとともに、外部から送信されてきた、プログラムデータがデジタル信号化された光信号を、受光部の方向に反射させるための光変調素子とを含む。このように構成すれば、１つの光変調素子により、光源ランプからの光をデジタル信号化して光信号として外部に投影させることができるのみならず、外部から送信されてきた、プログラムデータがデジタル信号化された光信号を受光部の方向に反射させることができる。これにより、外部から送信されてきた、プログラムデータがデジタル信号化された光信号を受光部の方向に反射させるための部品を別途設ける必要がないため、部品点数の増加を抑制することができる。
【００１３】
この場合、好ましくは、プログラムデータをデジタル信号化した光信号を受信する際に、投影機構部の光源ランプからの光を光変調素子に到達させないようにするための遮光手段をさらに備える。このように構成すれば、プログラムデータがデジタル信号化された光信号を受信する際に、遮光手段により、光源ランプからの光を遮光して光変調素子に到達しないようにすることができるので、外部から送信されるプログラムデータをデジタル信号化した光信号のみを光変調素子により反射して受光部に到達させることができる。これにより、受光部に正確なプログラムデータを受信させることができる。
【００１４】
この発明の第２の局面によるプロジェクタを用いたデータ転送システムは、プログラムデータをデジタル信号化した光信号として投影可能な投影機構部と、投影機構部から送信されたプログラムデータに対応するデジタル信号を受信するための受光部と、受光部により受信されたプログラムデータを記憶する記憶部とを含む、第１プロジェクタおよび第２プロジェクを備え、第１プロジェクタは、投影機構部によってプログラムデータをデジタル信号化して光信号として投影するとともに、第２プロジェクタは、プログラムデータをデジタル信号化した光信号を受光部で受信して、記憶部に記憶するように構成されている。
【００１５】
上記第２の局面のプロジェクタを用いたデータ転送システムでは、上記のように、プログラムデータをデジタル信号化した光信号として投影可能な投影機構部と、投影機構部によって投影されたプログラムデータに対応するデジタル信号化された光信号を受信するための受光部と、受光部により受信されたプログラムデータを記憶する記憶部とを含む、第１プロジェクタおよび第２プロジェクタを備えることによって、第１プロジェクタのプロジェクタの投影機構部を用いて、プログラムデータに対応するデジタル信号化された光信号を第２プロジェクタに向かって投影するとともに、第２プロジェクタの受光部により、投影されたプログラムデータに対応するデジタル信号化された光信号を受信して記憶部に記憶することによって、プログラムデータを転送するための装置を別途設けることなくプロジェクタ同士でプログラムデータの転送を行うことができる。また、第１プロジェクタの投影機構部によってプログラムデータをデジタル信号化して光信号として投影させるとともに、第２プロジェクタの受光部によりプログラムデータがデジタル信号化した光信号を受信させて、記憶部に記録させるように構成することによって、１台の第１プロジェクタを用いて、複数の第２プロジェクタに対して同時にプログラムデータを書込むことができる。これにより、複数のプロジェクタに対してプログラムデータを書込む際の作業を簡略化することができる。
【発明を実施するための最良の形態】
【００１６】
以下、本発明を具体化した実施形態を図面に基づいて説明する。
【００１７】
図１は、本発明の一実施形態によるプロジェクタの全体構造を示した斜視図である。また、図２は、図１のプロジェクタの内部構造を示した平面図である。図３〜図７は、図１に示した本発明の一実施形態によるプロジェクタの構成を示した図である。まず、図１〜図７を参照して、本発明の一実施形態によるプロジェクタ１の構成について説明する。
【００１８】
本発明の一実施形態によるプロジェクタ１の筐体２は、図１に示すように、前部筐体３、後部筐体４、上部筐体５、および下部筐体６を含んでいる。前部筐体３の矢印Ｘ１方向の端部側には、レンズ挿入部３ａが形成されている。
【００１９】
また、本実施形態では、このレンズ挿入穴３ａには、映像を投影するとともに、外部からの光を入射させるための１つのレンズ７が挿入されている。また、上部筐体５の上面の後方（矢印Ｙ２方向）には、押下によりメニュー画面が投影されるメニューボタン８ａと、プロジェクタ１の動作プログラムであるファームウェアを書込むための書込みモードを選択するための書込みモードボタン８ｂとを含む複数の操作ボタン８が設けられている。また、メニュー画面が投影された状態で、操作ボタン８を操作することにより、書込みモードが選択されたプロジェクタ１に対して、ファームウェアを送信する送信モードが選択される。また、操作ボタン８の近傍には、点灯、または、点滅することにより、プロジェクタ１の状態を表示するための表示部９が設けられている。
【００２０】
ここで、本実施形態では、図２に示すように、プロジェクタ１の筐体２の内部には、映像光と共にファームウェアなどのデータをデジタル信号化して光信号として投影するための投影機構部５０が設けられている。この投影機構部５０には、光源であるバルブ１０ａと、バルブ１０ａから照射される光を反射して集光するためのリフレクタ１０ｂとから構成される光源ランプ１０が配置されている。この光源ランプ１０の矢印Ｘ１方向側には、光源ランプ１０から照射された光を赤色、青色、緑色および白色光に順次変化させるためのカラーホイール２０が配置されている。このカラーホイール２０については、後に詳しく説明する。このカラーホイール２０の光源ランプ１０からの光の進行方向（矢印Ｘ１方向）側には、カラーホイール２０を透過した光を集光した状態でミラー１１に到達させるためのライトトンネル１２とリレーレンズ１３とが配置されている。このミラー１１は、リレーレンズ１３によって集光された光をＤＭＤ（Ｄｉｇｉｔａｌ  Ｍｉｃｒｏｍｉｒｒｏｒ  Ｄｅｖｉｃｅ）１４の方向に反射されるために設けられている。
【００２１】
また、図２に示すように、ＤＭＤ１４は、ミラー１１によって反射されて、集光レンズ１５によって集光された光をレンズ７の方向に反射させるとともに、レンズ７を介して入射したファームウェアなどのデータがデジタル信号化した光信号２００をＣＣＤ１６（Ｃｈａｒｇｅ  Ｃｏｕｐｌｅｄ  Ｄｅｖｉｃｅ）の方向に反射させるために設けられている。なお、ＤＭＤ１４は、本発明の「光変調素子」の一例であり、ＣＣＤ１６は、本発明の「受光部」の一例である。また、下部筐体６の後部（矢印Ｙ２方向側）には、配線基板からなる回路部４０が設置されている。
【００２２】
また、カラーホイール２０は、図３〜図５に示すように、金属製（板金製）のカラーホイール支持部２１に固定されたモータ２２のモータ軸２２ａ（図５参照）に回転可能に取り付けられている。具体的には、図５に示すように、カラーホイール２０は、モータ軸２２ａに嵌め込まれた複数のカラーフィルタ部２３と、樹脂製のカラーフィルタ部２３をモータ２２と反対側から固定する金属製の第１固定部材２４および第２固定部材２５と、カラーフィルタ部２３に金属製のスペーサ２６を介して固定されているホイール部２７とを含んでいる。これにより、カラーホイール２０は、モータ２２のモータ軸２２ａの回転にともなって回転するように構成されている。また、図３および図４に示すように、カラーホイール２０のホイール部２７には、カラーホイール２０の回転角度位置を検知するための黒色の吸光部２７ａが設けられている。また、カラーホイール支持部２１には、配線基板２８が固定されている。この配線基板２８上には、ホイール部２７の吸光部２７ａを検知することによりカラーホイール２０の回転角度位置を検知するための光反射型センサからなるセンサ２９が設けられている。  
【００２３】
また、図４に示すように、カラーホイール支持部２１には、モータ逃がし穴２１ａと、３つのネジ挿入穴２１ｂとが設けられている。また、図５に示すように、モータ２２は、カラーホイール支持部２１に固定するための取付部２２ｂを含んでいる。また、取付部２２ｂは、カラーホイール支持部２１のネジ挿入穴２１ｂに対応する位置にネジ挿入穴２２ｃを有している。このカラーホイール支持部２１のネジ挿入穴２１ｂとモータ２２の取付部２２ｂのネジ挿入穴２２ｃとのそれぞれに、カラーホイール支持部２１側からネジ３０を挿入した状態で、ナット３１によってモータ２２側から締結されることによって、モータ２２は、カラーホイール支持部２１に固定されている。
【００２４】
また、本実施形態では、カラーホイール２０の複数のカラーフィルタ部２３は、図３に示すように、光源ランプ１０（図２参照）からの光を透過させるように構成されているとともに、赤色領域２３ａ、青色領域２３ｂ、緑色領域２３ｃ、白色領域２３ｄおよび遮光領域２３ｅから形成されている。このカラーフィルタ部２３は、高速（約７２００ｒｐｍ）で回転することにより、透過させる光源ランプ１０（図２参照）からの光の色を高速で順次変化させることによって、プロジェクタ１のレンズ７（図２参照）から投影される映像を、彩色（混色）されたように人間の目に見えるように投影させることが可能である。なお、遮光領域２３ｅは、本発明の「遮光手段」の一例である。
【００２５】
また、回路部４０には、図６および図７に示すように、ＤＭＤ１４やモータ２２などの制御を行うＣＰＵからなる第１制御部４１と、ＣＣＤ１６をＣＣＤドライバ４２を介して制御するＣＰＵからなる第２制御部４３とが配置されている。この第１制御部４１は、センサ２９によって検知されたカラーホイール２０の回転角度位置情報および投影する光信号に基づいて、ＤＭＤ１４をＯＮ状態（光源ランプ１０からの光をレンズ７の方向へ反射させる状態）とＯＦＦ状態（レンズ７から入射する光信号をＣＣＤ１６の方向へ反射させる状態）とに変化させるように構成されている。なお、第１制御部４１および第２制御部４３は、本発明の「制御部」の一例である。
【００２６】
また、第１制御部４１は、カラーホイール２０のホイール部２７の吸光部２７ａをセンサ２９が検知した後の経過時間によってカラーホイール２０のカラーフィルタ部２３のどの領域が光源ランプ１０からの光の光路に位置しているかを判断するように構成されている。これにより、第１制御部４１は、カラーフィルタ部２３の赤色領域２３ａ、青色領域２３ｂ、緑色領域２３ｃ、白色領域２３ｄに加えて遮光領域２３ｅが光の経路に位置している期間を判別することが可能になる。また、第１制御部４１は、ファームウェアやプロジェクタ１のシリアルナンバーが保存されているフラッシュメモリ４４を制御するように構成されている。なお、フラッシュメモリ４４は、本発明の「記憶部」の一例である。
【００２７】
また、第２制御部４３は、ＣＣＤドライバ４２を介してＣＣＤ１６を制御している。また、ＣＣＤ１６によって撮影された映像は、ＣＣＤドライバ４２によって画像処理された後に第２制御部４３に伝達される。また、送信モードおよび書込みモードが選択されているときに、第２制御部４３は、遮光領域２３ｅが光の経路に位置している期間においてＣＣＤ１６により受信された光信号をＲＡＭ（Ｒａｎｄｏｍ  Ａｃｃｅｓｓ  Ｍｅｍｏｒｙ）４５に記録するように制御するように構成されている。なお、ＲＡＭ４５は、本発明の「記憶部」の一例である。
【００２８】
図８は、カラーフィルタの各領域が光源ランプからの光の光路に位置している際の、ＤＭＤの状態を説明するための図である。また、図９は、本発明の一実施形態によるプロジェクタのファームウェアの書込み動作を説明するための図である。また、図１０〜図１４は、本発明の一実施形態によるプロジェクタのファームウェアの書込み動作を説明するためのフローチャートである。また、図１５〜図１７は、本発明の一実施形態によるプロジェクタのファームウェアの書込み動作を説明するための図である。また、図１８〜図２０は、ファームウェアの書込み操作時に送信側プロジェクタにより投影される画面を説明するための図である。次に、図３、図４および図６〜図２０を参照して、本実施形態によるプロジェクタ１の動作について説明する。
【００２９】
まず、通常のプロジェクタ１による映像の投影動作について説明する。図３および図４に示すように、カラーホイール２０がモータ２２により高速（約７２００ｒｐｍ）で回転させることによって、カラーフィルタ部２３の各領域が光源ランプ１０（図６参照）からの光１００の光路に順次位置する。具体的には、光源ランプ１０からの光の光路に位置するカラーフィルタ部２３（図３参照）の色領域は、図８に示すように、赤色領域２３ａ、青色領域２３ｂ、緑色領域２３ｃ、白色領域２３ｄ、遮光領域２３ｅの順番で時分割で変化する。また、各色領域が光源ランプ１０からの光１００の光路に位置する時間は、カラーフィルタ部２３（図３参照）の各色領域の大きさ（角度範囲）に対応している。この赤色領域２３ａ、青色領域２３ｂ、緑色領域２３ｃおよび白色領域２３ｄの色領域の変化に同期させて、投影する画像の映像信号に基づいてＤＭＤ１４のＯＮ／ＯＦＦ制御を行うことにより、各色毎に明るさ（階調）を制御する。これによって、スクリーン上に映像信号に対応したカラーの映像を投影することが可能になる。
【００３０】
また、図８に示すように、遮光領域２３ｅ（図３参照）を除く色領域（赤色領域２３ａ、青色領域２３ｂ、緑色領域２３ｃおよび白色領域２３ｄ）が光源ランプ１０（図６参照）からの光１００の光路に位置すると第１制御部４１に判断された際に、映像信号に応じてＤＭＤ１４は、ＯＮ状態になるように制御されている。そして、所定の色領域と次の色領域との境界領域近傍が光源ランプ１０からの光１００の光路に位置すると判断された際には、ＤＭＤ１４は、一定時間ＯＦＦ状態になる。なお、図８では、説明の便宜上、赤色領域２３ａ、青色領域２３ｂ、緑色領域２３ｃおよび白色領域２３ｄの各境界領域以外の期間の全てでＤＭＤ１４がＯＮ状態になるように図示したが、実際には、各色の映像信号（明るさの階調）に応じてＤＭＤ１４がＯＮする期間とＯＦＦする期間との比を調整することにより、各色の明るさを制御するように構成されている。
【００３１】
また、図８に示すように、白色領域２３ｄから遮光領域２３ｅ（図３参照）に移行する際には、ＤＭＤ１４（図７参照）は、ＯＦＦ状態になるように制御され、遮光領域２３ｅに移行したと判断された後も、ＯＦＦ状態が維持される。そして赤色領域２３ａに移行した後、一定時間経過して、遮光領域２３ｅと赤色領域２３ａとの境界領域を通過したと判断されたときに、ＤＭＤ１４（図７参照）は、ＯＮ状態になるように制御される。
【００３２】
次に、プロジェクタ１のファームウェアの送信動作および書込み動作について説明する。なお、本実施形態では、図９に示すように、ファームウェアを送信する送信側プロジェクタ（以下、「送信側プロジェクタ」という）１ａがファームウェアを送信し、ファームウェアの書込み側プロジェクタ（以下、「書込み側プロジェクタ」という）１ｂ、１ｃおよび１ｄが受信して、書込み動作を行う例を用いて説明する。また、書込み側プロジェクタ１ｂは、シリアルＮｏ．３００とし、書込み側プロジェクタ１ｃは、シリアルＮｏ．４００とし、書込み側プロジェクタ１ｄは、シリアルＮｏ．５００とする。
【００３３】
まず、図１０に示すように、送信側プロジェクタ１ａでは、ステップＳ１において、使用者によってメニューボタン８ａが押下されたか否かが第１制御部４１によって判断され、押下されたと判断されるまでこの判断が繰り返される。そして、メニューボタン８ａが押下されたと判断されると、ステップＳ２に移行して、第１制御部４１は、ＤＭＤ１４を制御することにより、図１８に示すようなメニュー画面を投影する。
【００３４】
そして、ステップＳ３に移行して、図１０および図１５に示すように、使用者によって、メニュー画面（図１６参照）に表示される項目から、送信モードが選択されたか否かが判断され、送信モードが選択されたと判断されるまでこの判断が繰り返される。そして、送信モードが選択されたと判断されると、ステップＳ４に移行して、第１制御部４１により、ＤＭＤ１４が制御されることにより、図１９に示すような書込み側プロジェクタの台数を入力するための、書込み台数入力画面を投影する。
【００３５】
そして、ステップＳ５に移行して、使用者によって、書込み台数入力画面（図１９参照）に表示される投影画面により、操作ボタン８を操作することによって書込み側プロジェクタの台数が入力されたか否かが判断され、台数が入力されたと判断されるまでこの判断が繰り返される。そして、書込み側プロジェクタの台数（３台）が入力されると、ステップＳ５０のカラーホイール回転停止処理を行う。
【００３６】
そして、このカラーホイール回転処理の詳細としては、図１１に示すように、ステップＳ５１において、センサ２９がカラーホイール２０のホイール部２７の吸光部２７ａを検知したか否かが第１制御部４１により判断され、センサ２９が吸光部２７ａを検知するまでこの判断が繰り返される。そして、センサ２９が吸光部２７ａを検知したと判断されると、ステップＳ５２に移行して、センサ２９が吸光部２７ａを検知してから第１の時間が経過したか否かが第１制御部４１により判断され、第１の時間が経過するまでこの判断が繰り返される。このステップＳ５１では、第１制御部４１は、カラーフィルタ部２３の遮光領域２３ｅが光源ランプ１０からの光の光路に位置しているか否かを判断している。そして、第１制御部４１によりセンサ２９が吸光部２７ａを検知してから第１の時間が経過したと判断された場合には、ステップＳ５３に移行して、第１制御部４１によりモータ２２が停止されることにより、カラーホイール２０の回転が停止される。これにより、カラーフィルタ部２３の遮光領域２３ｅは、光源ランプ１０からの光の光路に位置した状態で、カラーホイール２０が停止するので、光源ランプ１０からの光は、ＤＭＤ１４には到達しない状態を維持することが可能となる。このようにしてカラーホイール停止処理が行われる。これにより、カラーホイール２０の回転が止まることにより、遮光領域２３ｅは、光の経路に位置したままの状態になる。その結果、光源ランプ１０からの光１００をＤＭＤ１４に到達させないようにすることが可能である。
【００３７】
一方、書込み側プロジェクタ１ｂ、１ｃおよび１ｄでは、図１０および図１５に示すように、ステップＳ２１において、第１制御部４１により、書込みモードボタン８ｂが押下されたか否かが判断され、書込みモードボタン８ｂが押下されるまでこの判断が繰り返される。書込みモードボタン８ｂ（図１参照）が押下されたと判断されると、ステップＳ２２に移行して、第１制御部４１により、表示部９には書込み動作を示す色が点灯または点滅される。
【００３８】
そして、ステップＳ２３に移行して、フラッシュメモリ４４に保存されているシリアルナンバーをＲＡＭ４５にコピーしてステップＳ２４に移行する。そして、ステップＳ２４において、シリアルナンバーをデジタル信号化した光信号を送信側プロジェクタ１ａに投影（送信）した後、ステップＳ５０に移行する。そして、ステップＳ５０において、書込み側プロジェクタ１ｂ、１ｃおよび１ｄにおいても、上述した送信側プロジェクタ１ａのステップＳ５０と同様のカラーホイール回転停止処理を行う。その後、ステップＳ２５に移行する。
【００３９】
一方、送信側プロジェクタ１ａ側では、図１０および図１５に示すように、ステップＳ６において、ステップＳ２３で送信された、書込み側プロジェクタ１ｂ、１ｃおよび１ｄの３台分のシリアルナンバーを受信したか否かが第２制御部４３により判断され、受信したと判断されるまでこの判断が繰り返される。３台分のシリアルナンバーが受信されたと判断されると、ステップＳ７に移行して、受信した３台分のシリアルナンバーがＲＡＭ４５に保存される。そして、ステップＳ８に移行して、カラーホイール２０の回転を再度開始する。その後、ステップＳ９に移行して、第１制御部４１により、ＤＭＤ１４が制御されることにより、書込み側プロジェクタ１ｂ、１ｃおよび１ｄに書込ませるためのファームウェア（書込みデータ）をデジタル信号化した光信号が投影される。具体的には、ＤＭＤ１４の全ての素子がＯＦＦ状態になるように制御されたときには、光源ランプ１０（図６参照）からの光１００は、レンズ７の方向に反射されない。これを全黒とする。また、ＤＭＤ１４の全ての素子がＯＮ状態になるように制御されたときには、光源ランプ１０からの光１００は、最も明るい状態でレンズ７の方向に反射される。これを全白とする。この全黒（たとえば「０」データ）と全白（たとえば「１」データ）とを組み合わせて投影することにより、デジタル信号化された光信号を送信することが可能となる。
【００４０】
そして、ステップＳ５０に移行して、上述したカラーホイール回転停止処理が再度行われる。そして、ステップＳ１０に移行して、第１制御部４１により、ファームウェアを投影してから第２の時間が経過したか否かが判断され、第２の時間が経過したと判断されるまでこの判断が繰り返される。ファームウェアを投影してから第２の時間が経過したと判断されると、ステップＳ１１の送信側プロジェクタ１ａの１番目の書込み側プロジェクタ１ｂに対する書込み確認処理に移行する。
【００４１】
一方、書込み側プロジェクタ１ｂ、１ｃおよび１ｄ側では、図１０および図１５に示すように、ステップＳ２５において、ステップＳ９で送信側プロジェクタ１ａから投影されたファームウェア（書込みデータ）が受信されたか否かが第２制御部４３により判断され、ファームウェアを受信したと判断されるまでこの判断が繰り返される。送信側プロジェクタ１ａによって投影されたファームウェアが受信されたと判断されると、ステップＳ２６に移行する。
【００４２】
そして、ステップＳ２６において、受信したファームウェアを、第１制御部４１を介して、第２制御部４３により、フラッシュメモリ４４に上書きする書込み動作を実行し、ステップＳ２７に移行する。そして、ステップＳ２７において、第１制御部４１により、正常に書込み動作が完了したか否かが判断され、正常に書込み動作が完了しなかったと判断された場合には、動作を終了する。そして、正常に書込み動作が完了したと判断された場合には、ステップＳ２８の書込み側プロジェクタの書込み確認処理に移行する。
【００４３】
ここで、図１２を用いて送信側プロジェクタ１ａの書込み確認処理と、１番目の書込み側プロジェクタ１ｂの書込み確認処理の詳細を説明する。まず、送信側プロジェクタ１ａでは、図１２に示すように、ステップＳ１１ａにおいて、カラーホイール２０の回転を再開させる。そして、第１制御部４１により、ＤＭＤ１４が制御されることにより、１番目の書込み側プロジェクタである書込み側プロジェクタ１ｂのシリアルＮｏ．３００がデジタル信号化さらた光信号（全黒および全白）で投影される。
【００４４】
そして、書込み側プロジェクタ１ｂでは、ステップＳ２８ａにおいて、ステップＳ１１ｂで送信された、送信側プロジェクタ１ａからのシリアルナンバーが受信されたか否かが第２制御部４３により判断され、受信されたと判断されるまでこの判断が繰り返される。そして、送信側プロジェクタ１ａからのシリアルナンバーが受信されたと判断された場合には、ステップＳ２８ｂに移行して、第２制御部４３により、ＲＡＭ４５に記憶された自機（書込み側プロジェクタ１ｂ）のシリアルナンバーと一致しているか否かが判断される。そして、一致していないと判断された場合には、ステップＳ２８ａに戻り、シリアルナンバーを受信するまで待機状態を維持する。このため、図１５および図１６に示すように、書込み側プロジェクタ１ｃおよび書込み側プロジェクタ１ｄは、受信したシリアルナンバーが自機のシリアルナンバーと一致したと判断されるまで待機状態を維持している。そして、受信したシリアルナンバーとＲＡＭ４５に記憶されたシリアルナンバーとが一致していると判断されると、ステップＳ２８ｃに移行する。そして、カラーホイール２０の回転を再開して、ステップＳ２８ｄにおいて、送信側プロジェクタ１ｂに一致したシリアルＮｏ．３００をデジタル信号化された光信号（全黒および全白）で投影する。
【００４５】
そして、送信側プロジェクタ１ａでは、ステップＳ１１ｃにおいて、ステップＳ２８ｄで送信された書込み側プロジェクタ１ｂのシリアルナンバーを受信したか否かが第２制御部４３により判断される。シリアルナンバーを受信したと判断されると、ステップＳ１１ｄに移行して、第２制御部４３によりステップＳ１１ｂで送信したシリアルナンバー（シリアルＮｏ．３００）と照合する。また、ステップＳ１１ｃにおいて、シリアルナンバーを受信しなかったと判断されると、ステップＳ１１ｅに移行する。
【００４６】
一方、書込み側プロジェクタ１ｂでは、ステップＳ２８ｅにおいて、ステップＳ２８ｄにおけるシリアルナンバーの送信から所定の時間が経過したか否かが判断され、経過したと判断されるまでこの判断が繰り返される。シリアルナンバーを送信してから所定の時間が経過したと判断されるとステップＳ２８ｆに移行して、送信側プロジェクタ１ａにシリアルＮｏ．３００を投影し、ステップＳ２８ｇに移行する。
【００４７】
これに対して、送信側プロジェクタ１ａでは、ステップＳ１１ｅにおいて、書込み側プロジェクタ１ｂ側のステップＳ２８ｅで２回目に送信された書込み側プロジェクタ１ｂのシリアルナンバーを受信したか否かが第２制御部４３により判断される。シリアルナンバーを受信したと判断されると、ステップＳ１１ｆに移行して、第２制御部４３によりステップＳ１１ｂで送信したシリアルナンバー（シリアルＮｏ．３００）と２回目の照合を行う。また、ステップＳ１１ｅにおいて、２回目のシリアルナンバーを受信しなかったと判断されると、ステップＳ１１ｇに移行する。
【００４８】
そして、書込み側プロジェクタ１ｂでは、ステップＳ２８ｇにおいて、ステップＳ２８ｆにおけるシリアルナンバーの送信から所定の時間が経過したか否かが判断され、経過したと判断されるまでこの判断が繰り返される。シリアルナンバーを送信してから所定の時間が経過したと判断されるとステップＳ２８ｈに移行して、送信側プロジェクタ１ａに３回目のシリアルＮｏ．３００を投影し、処理を終了する。
【００４９】
これに対して、送信側プロジェクタ１ａでは、ステップＳ１１ｇにおいて、書込み側プロジェクタ１ｂ側の３回目にステップＳ２８ｈで送信された書込み側プロジェクタ１ｂのシリアルナンバーを受信したか否かが第２制御部４３により判断される。シリアルナンバーを受信したと判断されると、ステップＳ１１ｈに移行して、第２制御部４３によりステップＳ１１ｂで送信したシリアルナンバー（シリアルＮｏ．３００）と３回目の照合を行う。また、ステップＳ１１ｇにおいて、３回目のシリアルナンバーを受信しなかったと判断されると、ステップＳ１１ｉに移行する。
【００５０】
そして、ステップＳ１１ｉにおいて、ステップＳ１１ｄ、ステップＳ１１ｆおよびステップＳ１１ｈの３回のシリアルナンバーの照合結果のうち、少なくとも１回一致したか否かが第２制御部４３により判断される。そして、一致したと判断されると、書込み側プロジェクタ１ｂの書込み結果はＲＡＭ４５に成功した旨のデータが記憶される。また、１回も一致しなかったと判断された場合、または、１回もシリアルナンバーを受信しなかったと判断された場合については、書込み結果は失敗と判断されて、送信プロジェクタ側の１番目の書込み側プロジェクタ１ｂに対する書込み確認処理（図１０のステップＳ１１）を終了して、図１０のステップＳ１２の送信プロジェクタ側の２番目の書込み側プロジェクタ１ｃに対する書込み確認処理に移行する（図１６参照）。
【００５１】
このステップＳ１２における２番目の書込み側プロジェクタ１ｃに対する書込み確認処理は、図１２に示した１番目の書込み側プロジェクタ１ｂに対する書込み確認処理と同様であり、異なる点は、２番目のシリアルＮｏ．４００について送受信処理を行う点である。すなわち、図１３の送信側プロジェクタ１ａのステップＳ１２ａ〜１２ｈは、それぞれ、図１２のステップＳ１１ａ〜１１ｈと同様の処理であり、２番目の書込み側プロジェクタ１ｃのステップＳ２８ａ〜２８ｈは、図１３の１番目の書込み側プロジェクタ１ｂのステップＳ２８ａ〜２８ｈと同じ処理である。
【００５２】
そして、ステップＳ１２ｉにおいて、ステップＳ１２ｄ、ステップＳ１２ｆおよびステップＳ１２ｈの３回のシリアルナンバーの照合結果のうち、少なくとも１回一致したか否かが第２制御部４３により判断される。そして、一致したと判断されると、２番目の書込み側プロジェクタ１ｃの書込み結果はＲＡＭ４５に成功した旨のデータが記憶される。また、１回も一致しなかったと判断された場合、または、１回もシリアルナンバーを受信しなかったと判断された場合、書込み結果は失敗と判断されて、送信プロジェクタ側の２番目の書込み側プロジェクタ１ｃに対する書込み確認処理（図１０のステップＳ１２）を終了して、図１０のステップＳ１３の送信プロジェクタ側の３番目の書込み側プロジェクタ１ｄに対する書込み確認処理に移行する。
【００５３】
このステップＳ１３における２番目の書込み側プロジェクタ１ｄに対する書込み確認処理は、図１２に示した１番目の書込み側プロジェクタ１ｂに対する書込み確認処理と同様であり、異なる点は、３番目のシリアルＮｏ．５００について送受信処理を行う点である。すなわち、図１２の送信側プロジェクタ１ａのステップＳ１３ａ〜１３ｈは、それぞれ、図１２のステップＳ１１ａ〜１１ｈと同様の処理であり、３番目の書込み側プロジェクタ１ｄのステップＳ２８ａ〜２８ｈは、図１３の１番目の書込み側プロジェクタ１ｂのステップＳ２８ａ〜２８ｈと同じ処理である。
【００５４】
そして、ステップＳ１３ｉにおいて、ステップＳ１３ｄ、ステップＳ１３ｆおよびステップＳ１３ｈの３回のシリアルナンバーの照合結果のうち、少なくとも１回一致したか否かが第２制御部４３により判断される。そして、一致したと判断されると、３番目の書込み側プロジェクタ１ｄの書込み結果はＲＡＭ４５に成功した旨のデータが記憶される。また、１回も一致しなかったと判断された場合、または、１回もシリアルナンバーを受信しなかったと判断された場合、書込み結果は失敗と判断されて、送信プロジェクタ側の３番目の書込み側プロジェクタ１ｄに対する書込み確認処理（図１０のステップＳ１３）を終了して、ステップＳ１４に移行する。
【００５５】
そして、図１０のステップＳ１３において、送信側プロジェクタ１ａでは、ステップＳ１１、ステップＳ１２およびステップＳ１３で記憶された、書込み側プロジェクタ１ｂ、１ｃおよび１ｄの書込み結果を示す画面を図２０に示すように投影する。図２０には、１番目の書込み側プロジェクタ１ｂと２番目の書込み側プロジェクタ１ｃとは書込みが成功し、３番目の書込み側プロジェクタ１ｄで失敗したときの画面の例が示されている。書込み結果を投影した後、処理を終了する。
【００５６】
本実施形態では、上記のように、ファームウェアをデジタル信号化した光信号（全黒および全白）として投影可能な投影機構部５０と、投影機構部５０によって投影されたファームウェアに対応するデジタル信号化された光信号を受信するためのＣＣＤ１６と、ＣＣＤ１６によって受信されたファームウェアに対応するデジタル信号化された光信号を記憶するためのフラッシュメモリ４５とを設けることによって、一方のプロジェクタ１の投影機構部５０を用いて、ファームウェアに対応するデジタル信号化された光信号を他方のプロジェクタ１に向かって投影するとともに、他方のプロジェクタ１のＣＣＤ１６により、投影されたファームウェアに対応するデジタル信号化された光信号を受信してフラッシュメモリ４４に記憶することによって、ファームウェアを転送するための装置を別途設けることなくプロジェクタ１同士でファームウェアの転送を行うことができる。また、１台のプロジェクタ１の投影機構部５０を用いて、複数台のプロジェクタ１のＣＣＤ１６に対して、ファームウェアに対応するデジタル信号化された光信号を投影することによって、１台のプロジェクタ１を用いて複数台のプロジェクタ１に対してファームウェアを同時に書込むことができる。これにより、複数のプロジェクタ１に対してファームウェアを書込む際の作業を簡略化することができる。
【００５７】
また、本実施形態では、上記のように、投影機構部５０によりデジタル信号化された光信号を投影する送信モードと、投影機構部５０により投影されたデジタル信号化された光信号をＣＣＤ１６により受信する書込みモードとを選択可能に構成することによって、ファームウェアを投影機構部５０により投影する送信モードと、ファームウェアをＣＣＤ１６により受信させる書込みモードとを使用者が選択することにより、容易に書込みモードを選択したプロジェクタ１に対してプログラムデータを書込むことができる。
【００５８】
また、本実施形態では、上記のように、投影機構部５０は、光源ランプ１０と、光源ランプ１０からの光１００を反射してデジタル信号化して光信号として外部に投影するとともに、外部から送信されてきた、ファームウェアがデジタル信号化された光信号２００を、ＣＣＤ１６の方向に反射させるためのＤＭＤ１４とを含むように構成することによって、１つのＤＭＤ１４により、光源ランプ１０からの光１００をデジタル信号化して光信号として外部に投影させることができるのみならず、外部から送信されてきた、ファームウェアがデジタル信号化された光信号２００をＣＣＤ１６の方向に反射させることができる。これにより、外部から送信されてきた、ファームウェアがデジタル信号化された光信号をＣＣＤ１６の方向に反射させるための部品を別途設ける必要がないため、部品点数の増加を抑制することができる。
【００５９】
また、本実施形態では、上記のように、ファームウェアがデジタル信号化した光信号２００を受信する際に、投影機構部５０の光源ランプ１０からの光をＤＭＤ１４に到達させないようにするためのカラーホイール２０に設けられた遮光領域２３ｅをさらに備えるように構成することによって、ファームウェアがデジタル信号化された光信号２００を受信する際に、遮光手段２３ｅにより、光源ランプ１０からの光１００を遮光してＤＭＤ１４に到達しないようにすることができるので、外部から送信されるファームウェアをデジタル信号化した光信号のみをＤＭＤ１４により反射してＣＣＤ１６に到達しないように構成することができる。これにより、ＣＣＤ１６に正確なファームウェアを受信させることができる。
【００６０】
また、本実施形態では、上記のように、プロジェクタ１ａでは、送信モードが選択され、プロジェクタ１ｂ、１ｃおよび１ｄでは、書込みモードが選択されることによって、プロジェクタ１ａは、ファームウェアをデジタル信号化して光信号として投影させるとともに、プロジェクタ１ｂ、１ｃおよび１ｄでは、プロジェクタ１ａから送信された光信号をＣＣＤ１６により受信することができるので、ファームウェアを転送する際に、ファームウェアを転送するための装置を別途設けることなく、プロジェクタ１同士でファームウェアの転送を行うことができる。また、ファームウェアの書込みを実行する際に、送信側プロジェクタ１ａでは、投影されたメニュー画面に基づいた送信モードの選択と、書込み側プロジェクタ１ｂ、１ｃおよび１ｄの書込みモードボタン８ｂの押下とが使用者により操作された後、ファームウェアの書込み動作が始まり、その後、自動で書込み動作が完了するように構成することによって、使用者による、送信側プロジェクタ１ａに対しての送信モードの選択操作と、書込み側プロジェクタ１ｂ、１ｃおよび１ｄの書込みモードボタンを押下する操作とにより、複数台の書込み動作が開始され、その後、書込み動作が完了するまで操作する必要がない。これにより、複数のプロジェクタに対してファームウェアを書込む際の作業を簡略化することができる。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記実施形態では、受光部の一例としてＣＣＤを示したが、本発明はこれに限らず、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの他のイメージセンサに赤外線フィルムを貼付したものを用いてもよい。
【００６３】
また、上記実施形態では、プロジェクタの動作を司る制御部として第１制御部と第２制御部とを設ける一例を示しが、本発明はこれに限らず、１つの制御部を用いて装置本体を制御するように構成してもよい。
【００６４】
また、上記実施形態では、光変調素子の一例としてＤＭＤを示したが、本発明はこれに限らず、ＤＭＤに代えて、液晶パネルを用いてもよい。
【００６５】
また、上記実施形態では、遮光手段をカラーホイールのカラーフィルタに形成された遮光領域により構成する例を示したが、本発明はこれに限らず、遮光手段を、光源ランプとミラーとの間にカラーホイールとは別個に設けた遮光部材により構成してもよい。
【図面の簡単な説明】
【００６６】
【図１】本発明の一実施形態によるプロジェクタの全体構造を示した斜視図である。
【図２】図１に示した一実施形態によるプロジェクタの内部構造を説明するための平面図である。
【図３】図１に示した一実施形態によるプロジェクタのカラーホイールの構造を説明するための斜視図である。
【図４】図１に示した一実施形態によるプロジェクタのカラーホイールの構造を説明するための斜視図である。
【図５】図３に示した一実施形態によるカラーホイールの構造を説明するための断面図である。
【図６】図１に示した一実施形態によるプロジェクタの構成を説明するための図である。
【図７】図１に示した一実施形態によるプロジェクタの回路部の構成を説明するためのブロック図である。
【図８】図１に示した一実施形態によるプロジェクタのカラーホイールのカラーフィルタの順次変化と、カラーフィルタの順次変化に対応したＤＭＤの状態変化とを説明するための図である。
【図９】図１に示した一実施形態によるプロジェクタのファームウェアの書込み動作を説明するための図である。
【図１０】図１に示した一実施形態によるプロジェクタの書込み動作を説明するためのフローチャートである。
【図１１】図１に示した一実施形態によるプロジェクタの書込み動作を説明するためのフローチャートである。
【図１２】図１に示した一実施形態によるプロジェクタの書込み動作を説明するためのフローチャートである。
【図１３】図１に示した一実施形態によるプロジェクタの書込み動作を説明するためのフローチャートである。
【図１４】図１に示した一実施形態によるプロジェクタの書込み動作を説明するためのフローチャートである。
【図１５】図１に示した一実施形態によるプロジェクタのファームウェアの書込み動作を説明するための図である。
【図１６】図１に示した一実施形態によるプロジェクタのファームウェアの書込み動作を説明するための図である。
【図１７】図１に示した一実施形態によるプロジェクタのファームウェアの書込み動作を説明するための図である。
【図１８】図１に示した一実施形態によるプロジェクタにより投影されるメニュー画面を示した図である。
【図１９】図１に示した一実施形態によるプロジェクタにより投影される書込み台数入力画面を示した図である。
【図２０】図１に示した一実施形態によるプロジェクタにより投影される書込み結果画面を示した図である。
【符号の説明】
【００６７】
１  プロジェクタ
１ａ  送信側プロジェクタ（第１プロジェクタ）
１ｂ、１ｃ、１ｄ  書込み側プロジェクタ（第２プロジェクタ、第３プロジェクタ）
１０  光源ランプ
１４  ＤＭＤ（光変調素子）
１６  ＣＣＤ（受光部）
２３ｅ  遮光領域（遮光手段）
４１  第１制御部（制御部）
４３  第２制御部（制御部）
４４  フラッシュメモリ（記憶部）
４５  ＲＡＭ（記憶部）
５０  投影機構部
【図１】
2009048028.tif 000003
【図２】
2009048028.tif 000004
【図３】
2009048028.tif 000005
【図４】
2009048028.tif 000006
【図５】
2009048028.tif 000007
【図６】
2009048028.tif 000008
【図７】
2009048028.tif 000009
【図８】
2009048028.tif 000010
【図９】
2009048028.tif 000011
【図１０】
2009048028.tif 000012
【図１１】
2009048028.tif 000013
【図１２】
2009048028.tif 000014
【図１３】
2009048028.tif 000015
【図１４】
2009048028.tif 000016
【図１５】
2009048028.tif 000017
【図１６】
2009048028.tif 000018
【図１７】
2009048028.tif 000019
【図１８】
2009048028.tif 000020
【図１９】
2009048028.tif 000021
【図２０】
2009048028.tif 000022